(57)【要約】本発明は、ゴルフ・パターの交換可能なカセットまたは部品（３３）、ならびに交換可能なカセットを備えるゴルフ・パター・ヘッド（１１）に関する。カセット（３３）は、打撃表面にバンド材料の選択した一定の張力で取り付けられたバンド形材料（３２）によって構成される、パター打撃表面（１９）を提供する。バンド形材料はループ（３２）を構成し、緊張装置（３４、３５）は、バンド・ループ内側の少なくとも一部に設けられている。緊張装置はまた、打撃表面（１９）の各側部に突起（３４）を含み、それによって打撃表面でバンドの後ろにリセス（３０）を画定する。パター・ヘッド（１１）は、カセット（３３）を受け、これをパター・ヘッド（１１）内の定位置に係止する、保持手段（３６）を備える。
2004525706.tif 000002
【特許請求の範囲】
【請求項１】
打撃表面にバンド材料の張力で取り付けられたバンド形材料（３２）によって構成される、パター打撃表面（１９）を備えるゴルフ・パター・ヘッドにおいて、バンド形材料は無限ループ（３２）の形をしており、緊張装置（３４、３５）がバンド・ループ内側の少なくとも一部に設けられ、バンドに前記張力を加えるようになっており、緊張装置はまた、打撃表面の各側部に突起（３４）を含み、それによって打撃表面（１９）でバンド（３２）の後ろにリセス（３０）を画定するゴルフ・パター・ヘッドであって、
緊張装置（３４、３５）および金属バンド・ループ（３２）が、パター・ヘッド（１１）用の交換可能なカセット・ユニット（３３）の重要な部品を構成し、カセット内には、硬く剛性のある打撃表面（１９）を提供するように、一定の張力で金属バンド・ループ（３２）が取り付けられ、パター・ヘッド（１１）が、交換可能なカセット・ユニットを受け、これをパター・ヘッド内の定位置に係止する保持手段（３６、３７、３８）を備えることを特徴とする、ゴルフ・パター・ヘッド。
【請求項２】
金属バンド・ループ（３２）が、カセット（３３）の両側部にほぼ平行な主ループ部を有することを特徴とする、請求項１に記載のゴルフ・パター。
【請求項３】
緊張装置が基本的に、板の対向する側部に前記突起（３４）を有する平坦な板（３５）によって形成され、前記突起は板（３５）の長手方向に垂直により大きな側部まで延び、それによって突起と板の間に前記リセス（３０）が設けられる、請求項１または請求項２に記載のゴルフ・パター。
【請求項４】
前記突起が、板（３５）に交換可能に連結された端部片（３４）によって設けられ、それによって端部片または平坦な板（３５）を変更することにより、バンドに加えられる張力およびリセス（３０）のサイズを選択することが可能になる、請求項３に記載のゴルフ・パター。
【請求項５】
平坦な板（３５）の長さが調節可能となっており、それによってバンド上に加えられる張力およびリセス（３０）のサイズを選択することが可能になる、請求項３または請求項４に記載のゴルフ・パター。
【請求項６】
パター・ヘッド（１１）が、交換可能なカセット・ユニット（３３）を受ける空洞（３６）を画定し、前記空洞の一方の側部は、固定手段（３８）を備える取り外し可能な端部板（３７）によって画定されて、パター・ヘッドに固定され、それによって交換可能なカセット・ユニット（３３）を前記空洞（３６）内に係止する、請求項１から請求項５までのいずれか一項に記載のゴルフ・パター。
【請求項７】
バンド（３２）の幅にわたって変化する張力を確立する手段（３４、３５）が設けられた、請求項１から請求項６までのいずれか一項に記載のゴルフ・パター。
【請求項８】
前記手段が基本的には、バンド（３２）に係合する適切な形状の表面（４０）をもつ端部片（３４）を備える、請求項４および請求項７に記載のゴルフ・パター。
【請求項９】
金属バンド・ループ（３２）が、低摩擦材料で被覆される、請求項１から請求項８までのいずれか一項に記載のゴルフ・パター。
【請求項１０】
前記保持手段に対するカセットの設計が、ほぼ対称であり、したがって少なくとも２つの異なる方向にカセットを取り付けることが可能になっている、請求項２から請求項９までのいずれか一項に記載のゴルフ・パター。
【請求項１１】
パター・ヘッド（１１）が、前側開口を通して交換可能なカセット・ユニット（３３）を受ける空洞（４６）を画定し、クランプ（４４）が前記前側開口と結合して、パター・ヘッドの後部側から好ましくはねじ（４１）で、パター・ヘッド（１１）内にカセット・ユニットを固定する、請求項１から請求項５まで、または請求項７から請求項９までのいずれか一項に記載のゴルフ・パター。（図６）
【請求項１２】
打撃表面にバンド材料の張力で取り付けられたバンド形材料（３２）によって構成される、ゴルフ・パター打撃表面（１９）を備えるゴルフ・パター・ヘッド（１１）用の交換可能なカセット・ユニットにおいて、バンド形材料は無限ループ（３２）の形をしており、緊張装置（３４、３５）がバンド・ループ内側の少なくとも一部に設けられ、バンドに前記張力を加えるようになっており、緊張装置はまた、打撃表面の各側部に突起（３４）を含み、それによって打撃表面（１９）でバンド（３２）の後ろにリセス（３０）を画定するカセット・ユニットであって、
緊張装置（３４、３５）および金属バンド・ループ（３２）が、交換可能なカセット・ユニット（３３）の重要な部品を構成し、カセット内には、硬く剛性のある打撃表面（１９）を提供するように、一定の張力で金属バンド・ループ（３２）が取り付けられることを特徴とする、交換可能なカセット・ユニット。
【請求項１３】
緊張装置が基本的に、板の対向する側部に前記突起（３４）を有する平坦な板（３５）によって形成され、前記突起は板（３５）の長手方向に垂直により大きな側部まで延び、それによって突起と板の間に前記リセス（３０）が設けられる、請求項１２に記載のカセット・ユニット。
【請求項１４】
前記突起が、板（３５）に交換可能に連結された端部片（３４）によって構成され、それによって端部片または平坦な板を変更することにより、バンドに加えられる張力およびリセス（３０）のサイズを選択することが可能になる、請求項１２または請求項１３に記載のカセット・ユニット。
【請求項１５】
緊張装置（３４、３５）の長さが調節可能となっており、それによってバンドに加えられる張力およびリセス（３０）のサイズを選択することが可能になる、請求項１２、請求項１３、または請求項１４に記載のカセット・ユニット。
【請求項１６】
端部片（３４）が、互いに向かって延びて、バンドに接触し、端部片の縁部は、バンドと平坦な板（３５）の間のリセス（３０）の形を画定する、請求項１４または請求項１５に記載のカセット・ユニット。
【請求項１７】
前記リセス（３０）の領域にある緊張装置（３４、３５）が、バンドに向かって延びる突出要素（３９）を備える、請求項１２から請求項１６までのいずれか一項に記載のカセット・ユニット。
【請求項１８】
金属バンド・ループ（３２）が、カセットの両側部にほぼ平行な主ループ部分を有する、請求項１２から請求項１７までのいずれか一項に記載のカセット・ユニット。
【請求項１９】
緊張装置（３４、３５）が、１つの主ループ部分の打撃バンド面から反対側のバンド・ループ部分まで、両側にピン要素とバンドの間に間隙を有して延びる、少なくとも１個のピン状要素（３９）を備えており、ピン要素（３９）は長手方向に自由に移動する、請求項１７および請求項１８に記載のカセット・ユニット。
【請求項２０】
バンドの厚さが、打撃表面上の所定の限度内で変わる、請求項１２から請求項１９までのいずれか一項に記載のカセット・ユニット。
【請求項２１】
少なくとも２つの異なる方向にゴルフ・パター・ヘッド内にカセットを取り付けることが可能になるように、カセットの設計がほぼ対称である、請求項１８、請求項１９、または請求項２０に記載のカセット・ユニット。
【請求項２２】
前記平行な主ロープ部分および／または関連するリセスが、異なる性質または構造をしている、請求項２１に記載のカセット・ユニット。
【発明の詳細な説明】
【技術分野】
【０００１】
本発明は、打撃表面にバンド材料の張力で取り付けられたバンド形材料によって構成されたパター打撃表面を備える、ゴルフ・パター・ヘッドであって、バンド状材料が無限ループの形をしており、緊張装置が、バンド・ループ内側の少なくとも一部に設けられ、バンドに前記張力を加えるようになっており、緊張装置はまた、打撃表面の各側部上に突起を含んでおり、それによって打撃表面でバンドの後にリセスを画定する、ゴルフ・パター・ヘッドに関する。本発明はまた、ゴルフ・パター・ヘッド用交換可能カセット・ユニットを備える。
【背景技術】
【０００２】
パッティング・グリーン上で（ゴルフ・ボールをパットする）パターを使用する時、ゴルファーはボールを打って、所望の（かつ、より予測可能な）経路および長さに沿ってゴルフ・ボールを移動させるように、パターでのストロークの後、できるだけすぐにボールに回転またはスピンをかける。ゴルフ・ボールをパットして意図したホールに入れようとする場合、ボールが期待するあるいは所望の経路および長さをたどることが重要である。パットの期待する経路および長さと実際の経路および長さが一致することが、非常に重要である。このことに関連して、一般に、表面の上における回転移動をボールに与えること、すなわちグリーン上の草と回転接触させ、好ましくはパターを当てた後の初期段階において、草の上で偶発的にボールが跳び上がらないようにすることが目的である。
【０００３】
本発明によると、ストロークしてすぐに、意図的な回転をゴルフ・ボールに与えることが目的である。また、ボール回転のより予測可能な長さを得るため、パターからボールに運動エネルギーをできるだけ多く伝えることが重要である。
【０００４】
すなわち、少なくともあるパッティング・ストロークでは、多くの動的エネルギーをゴルフ・クラブからゴルフ・ボールに伝えて、ボールに回転移動が加えられるようになる、つまり非回転ストロークをボールに加える代わりに、結合されたスラストおよび回転移動をボールに与えるストロークをすることが望ましい。従来のゴルフ・クラブを使用すると、例えば適当な傾斜角度でパターの打撃領域を保持することにより、ゴルフ・ボールには、この種類の意図的な回転が与えられる。
【０００５】
別の方法では、水平中間面の上のあるレベルでゴルフ・ボールを打つことにより、パターは、ゴルフ・ボールに「トップスピンをかける」ことができる。パターの打撃領域は一般的には、パターがパッティング・ストロークに関して通常の垂直位置にある場合、垂直位置にある。しかし、垂直平面に対して傾斜角度に打撃領域を有することにより、傾斜角度のストロークをゴルフ・ボールに対して行った結果、ボールの回転移動のごく最初の段階において、ゴルフ・ボールとグリーンの草の間に大きな摩擦を故意に作り出そうとすることもある。ボールの移動に対するパターからのエネルギー移動の際のエネルギー損失が少ないので、目標すなわちホールに対するボールの長さも経路もより多く、十分に予測される。
【０００６】
したがって、ゴルフ・ボールの移動の初期段階において、ゴルフ・ボールの回転をできるだけ制御することが目的である。しかし、実際は多くの場合、ストロークした後に回転が開始する点は、可能性の問題および回転の程度の問題であり、ゴルフ・クラブで打った後から、ゴルフ・ボールを下にある表面から急激に上向きに持ち上げ移動することができ、したがって下にある表面に対して連続して滑翔（ｓｏａｒ）運動することができることもある。したがって、ゴルフ・ボールには、限られたまたは多少とも制御不可能な回転が与えられる。今まで、ゴルフ・ボールに対するパターの打撃表面の位置は、下にある表面に対するゴルフ・ボールの移動に非常に重要であった。しかし、グリーン上の局所的な状態（湿度／湿気、むらなど）が、程度は異なるが、ゴルフ・ボールの摩擦に影響を及ぼし、それによって回転移動および回転速度を含む、移動速度および移動のパターンにも影響を及ぼす。プレーヤのパター・ストロークがボールの水平中間面上の領域内でゴルフ・ボールに当たると、ゴルフ・ボールは、グリーン上の草の方向に下向きの力の要素を受け、その結果、ストロークの初期段階においてゴルフ・ボール上に意図的なより大きな摩擦および意図的な回転を得ることができ、それによって意図的にスピンする平面内でボールを回転させることができ、ジャイロ効果が得られる。
【０００７】
さらに、プレーヤがパターの打撃領域を前方上向きの傾斜角度に置くと、意図的にこの初期摩擦を草に加えることにより、回転移動中に草と多少とも連続的に接触して、ゴルフ・ボールの移動パターンを確実に制御することができる。
【０００８】
一方、例えば、プレーヤがパターの打撃領域を後方上向きの傾斜角度で置くと、望ましい場合には、ゴルフ・ボールに意図的な滑翔運動または跳躍運動を与えることが可能である。本発明に関して、パターは、ゴルフ・ボールに比較的柔らかくかつ繊細なストロークを与えることができ、それによって打撃の後すぐにジャイロ効果が与えられ、ストローク後の初期段階においてパターからのより大きな力がボールに伝えられる解決法に到達することが目的である。これにより、より予測可能な回転長さおよびボール移動の方向が与えられる。伝達された力のレベルは調節可能であり、このことに関して、ゴルフ・ボールに意図した回転および所望のジャイロ効果を与えることにより、パターはゴルフ・ボールにまさに所望する移動を容易に与えることができる。パターの打撃領域から直接、すなわち実際のゴルフ・ボールに対するパターのストロークにおける初期段階において、ゴルフ・ボールの意図した回転移動を確実に行うことができ、ストロークの制御を簡単かつ繊細にし、ボールの慣性力を克服できることが目的である。
【０００９】
国際特許出願第ＰＣＴ／ＮＯ９９／００３１４号は、テンション・バーの２つの対向する端部を通してパター・ヘッドの各端部で２つの締付け点に交換可能または取替可能な長手方向に延びたテンション・バーが取り付けられ、長手方向のテンション・バーが２つの両端部を通って取り付けられ、パター・ヘッド内の空洞上に自由に延びるように、パターの打撃領域を配置することにより、この問題が解決されたゴルフ・クラブを開示している。パター・ヘッドの空洞上に自由に延びる、長手方向に延びたテンション・バーを使用することにより、ゴルフ・ボールに対するパター・ストロークのある程度の柔らかさを得ることができ、同時にボールを打ってすぐに、ゴルフ・ボールに対して初期回転を与えることが可能になる。
【００１０】
しかし、この解決法は複雑であり、バンド内の特定の張力に簡単には調節されない。バンドが引っ張られると、使用される材料によりバンド張力が緩まる可能性があり、その後張力をさらに加えることは不可能である。また、上記の出願では、打撃領域でのバンドの後ろの空洞がテンション・バーの対向する端部によって画定されるので、打撃領域のサイズおよび形が固定されている。また、打撃表面に可撓性があり過ぎるので、このパターの競技への使用が許可されることは不可能である。
【００１１】
米国特許第５，６４３，１０９号は、打撃表面がバンド・ループによって構成され、ねじ機構を使用して後部で調節可能である、パター・ヘッドを記載している。バンド材料は説明されていないが、可撓性があると言われており、ファイバー材料または同様の材料である可能性が高い。パター・ヘッドはまた、バンドおよびパター・ヘッドの後ろにリセスを備えている。
【００１２】
米国特許第５，６４３，１０９号による解決法は、Ｒ＆Ａ（ロイヤル＆エインシェントＧＣ）およびＵＳＧＡ（全米ゴルフ協会）によるゴルフのルールによって要求されるように、可撓性があり、硬性および剛性がない打撃表面を有する。
【発明の開示】
【発明が解決しようとする課題】
【００１３】
したがって、本発明の目的は、テンション・バンドによって構成され、カセットごとに変化するバンド内の所定の引張り張力を有するカセットとして改良型の取替可能な打撃表面を備える、ゴルフのルールに準拠して許可されるゴルフ・パター・ヘッドを提供することである。前記バンドの張力は、プレーヤの希望に応じて広範囲にわたる。
【００１４】
本発明の別の目的は、打撃表面の可撓性のある部品の形およびサイズを、バンド内の広範囲の形状および張力で選択することができる、ゴルフ・パター・ヘッドを提供することである。
【００１５】
本発明の目的はまた、上述のゴルフ・クラブに適合された取替可能なカセット・ユニットを備える交換可能な部品を提供することである。
【００１６】
本発明のもう１つの目的は、製造するのに費用がかからない、交換可能な部品またはカセットを提供することである。
【課題を解決するための手段】
【００１７】
ゴルフ・クラブに使用する交換可能な部品が、米国特許第５，１９０，２９０号に記載されている。しかし、この特許はパターではなくゴルフ・クラブに関連し、より柔らかなかつ可撓性のある感触を与えるように、カセットの後部に配置された異なる種類の合成材料に基づいた、完全に異なる解決法を表している。
【００１８】
米国特許第４，４２２，６３８号および英国特許第２，２８１，０４１号は、交換可能な打撃表面がゴム材料でできている、ゴルフ・パター内の交換可能な部品を記載している。この解決法では、ボールと打撃表面の間の摩擦が大きくなり、打撃の際にエネルギーが損失し、したがって最適ではない解決法である。
【００１９】
初めに、上記米国特許第５，６４３，１０９号をより詳細に取り上げると、本発明によるゴルフ・パター・ヘッドおよび交換可能なカセット・ユニットは、無限ループの形をしたバンド形材料を有するという特徴を取り入れており、緊張装置がバンド・ループ内側の少なくとも一部に設けられ、前記張力をバンドに加えるようになっている。緊張装置はまた、打撃表面の各側部に突起を含んでおり、したがって打撃表面でバンドの後ろにリセスを画定する。
【００２０】
前に述べたように、硬く緊張装置および金属バンド・ループが、剛性のある打撃表面を与えるように金属バンド・ループがカセット内に所定の張力で取り付けられた、パター・ヘッド用の交換可能なカセット・ユニットの重要な部品を構成し、パター・ヘッドが交換可能なカセット・ユニットを受け、これをパター・ヘッド内の定位置に係止する保持手段を備えることを特徴とする、ゴルフ・パター用のゴルフ・パター・ヘッドおよび交換可能なカセット・ユニットを提供することにより、本発明の目的は達成される。
【００２１】
本発明により、パター・ヘッドとゴルフ・ボールの間に比較的広範囲にわたる、すなわち比較的広い打撃領域を得ることが可能になる。比較的滑らかで低摩擦の打撃表面が与えられることにより、故意にゴルフ・ボールに意図した回転移動を与えるため、パター・ヘッドとゴルフ・ボールの間を確実に低摩擦にすることができる。例えば、ボールの重心に対してパター・ヘッドを持ち上げたり、下げたりすることにより、これをさらに調節することもできる。パター・ヘッドからボールへの力（運動エネルギー）の伝達が遅れることにより、より滑らかで柔らかなストロークが与えられる。このことにより、ボールに大きな影響を及ぼし、ストロークの直後にボールを回転させる。ジャイロ効果を得るため、ストロークの直後の回転が望ましく、それによって方向も長さも十分な安定性が得られる。
【００２２】
また、本発明によると、交換可能なカセット・ユニットには、選択したサイズに切断された突出した輪郭を使用して部品を製造することができ、同様に選択した寸法に切断することができる薄い管としてバンドを大量生産することができ、それによって費用効率の良い製造方法が提供されるという利点がある。
【実施例】
【００２３】
添付の図面を参照して、以下の説明で本発明の他の特徴を示す。
【００２４】
図１は、シャフト部１２に連結されたクラブ・ヘッド１１からなる、「パター」型のゴルフ・クラブ１０を示す。伝統的なハンド・グリップ１４を含むシャフト部１２が示されている左側の長いシャフト。この特別なケースは、比較的簡単に異なる方法で調節できるパター・ヘッドを備えるパターに関する。「Ｒｏｙａｌ  ａｎｄ  Ａｎｃｉｅｎｔ  Ｇｏｌｆ  Ｃｌｕｂ  ｏｆ  Ｓｔ．Ａｎｄｒｅｗｓ（ロイヤル＆エインシェントＧＣ）」および「Ｕｎｉｔｅｄ  Ｓｔａｔｅｓ  Ｇｏｌｆ  Ａｓｓｏｃｉａｔｉｏｎ（全米ゴルフ協会）」によって規定された調節要件によると、パター以外のゴルフ・クラブの重量は調節することができる。しかし、パターに関しては、以下にしたがって他の調節を行うことができる。
（Ｉ）簡単に調節を行うことができてはいけない。
（ＩＩ）部品が緩む可能性、または部品が使用／プレイ中に実際に再調節される妥当な可能性がないように、使用中は全ての調節可能な部品を定位置にしっかり固定するものとする。
（ＩＩＩ）行った調節の結果は全て、規定されたルールに準拠しなければならない。
（ＩＶ）打撃領域は、硬く剛性があるものとする。人の力で打撃領域を押した時に、打撃領域内に明らかな動きが観察されないものとする。
【００２５】
結論として、ゴルフ・クラブ（これに関して、パターも含む）の機能的特性をプレイ中に変えることはできず、プレイ中のどんな変更でもそのプレーヤはプレイ中のゲームから失格することになる。
【００２６】
本発明により、上述のように許可された調節を考慮して、ゴルフ・クラブ（パター）を説明し、示す。つまり、本発明により、異なるバージョンおよび異なる代替部品によって、異なる部品の交換または取替および部品の互いに対してのいくらかの調節を含む、多くの異なる調節が行われる可能性がある。この種類の調節は作業場で、または特殊な工具を使用して行われ、それによって意図するように使用中またはプレイ中にパターを調節することが難しくなると考えられる。示したバージョンによれば、実際のクラブ・ヘッド１１は、アルミ合金などの軽金属で作ることができ、実際の打撃領域を提供するクラブ・ヘッドの交換可能または取替可能なカセット部は、別の材料で作ることができる。
【００２７】
図２Ａおよび２Ｂに示すバージョンのクラブ・ヘッド１１は、スチールまたは軽金属で作られ、湾曲したあるいは比較的平面状の底部３７を備える、堅く安定した部品を有する。パター・ヘッドは、交換可能なカセット部３３に対してミル加工または鋳造空間３６を画定する。
【００２８】
交換可能な部品またはカセット３３は、図面中、平坦な止め板３５および２個の端部片を含む、テンション・バー３４、３５を備えており、両方とも打撃表面を構成するループ形バンド材料３２内側に配置される。
【００２９】
テンション・バー３４、３５は、打撃表面に向かって延びる突起３４を備え、したがって打撃領域内でバンドの後にリセス３０が設けられる。したがって、わずかに可撓性のある打撃領域が得られる。カセット・ユニット３３は、ミル加工されたリセス空間３６内に嵌合して、使用中に定位置にしっかりとこれを保持するようになっている。あるいは、図４Ｆおよび４Ｇに示すように、打撃表面を備える前側バンドと後側バンドの間の連結を、テンション・バー３５を介してピン３９または同様のものによって確立することができる。
【００３０】
図２Ａ、２Ｂに例示するように、金属バンド・ループ３２は、カセット３３の両側、すなわち前側と後側に、ほぼ平行な主ループ部分を有する。とりわけ、これがカセット設計における対称に関連し、これによってカセットをスペース３６内の４つの異なる方向または位置に挿入することが可能になり、カセットが前後および／または縦に移動する。これに関して、前側部および後側部における自由なスパンなど、バンド外形および幾何的構造が異なる変更された実施例では、別の種類の性質が得られる。
【００３１】
端部片３４とテンション・バーまたは止め板３５の物理的寸法は、バンド・ループ３２内に配置された場合、バンドに所定の引張り張力を加えるようになっている。張力は、カセットの交換可能な部品、止め板、または端部片を交換することにより調節することができ、あるいは代替実施例のように、テンション・バーの長さを本発明には重要ではないそれ自体既知の方法で調節することができる。
【００３２】
パター・ヘッドの底部板３７は、止めねじ３８を使用して、交換可能なカセット部３３を定位置に係止する。したがって、バンドの張力は簡単には調節されない、あるいは調節可能な部品は使用中に交換されない。
【００３３】
ここに示したバージョンの本発明によれば、特に単純で、ほとんど秘密にされない、かつ比較的複雑でないクラブ・ヘッド構造と、クラブ・ヘッド構造にしっかり取り付けられた、比較的単純な交換可能または取替可能なカセット部とを考案することが目的である。好ましくは上述の要素３４、３５あるいは同様の要素を備える、緊張装置を使用することによって決定することができる、正確に測定した、永久バンド・ループ引張力で、クラブ・ヘッド１１にカセットが取り付けられる。
【００３４】
バンド材料はそれ自体、金属、例えばスチールからなることが好ましい。本発明の重要な一面は、バンド材料はゴルフ・ボールに対する摩擦が低いということである。これは、コーティング、例えばテフロン（登録商標）・コーティング、またはグラファイト・コーティングを使用して得ることができる。したがって、バンド３２は、張力吸収成分および他のより弾性のある成分を有する複合材料など、高い引張強度を有する金属または他の適切な材料から作成することができる。金属バンドを使用すると、バンド打撃領域を低摩擦材料コーティングで研磨または被覆することにより、所望の低い程度の摩擦と、したがってパターのインパクトまたはストロークの後に、ボールの早い段階での回転が得られるように、打撃領域１９の表面とゴルフ・ボールの間の所望の効果的な摩擦効果とを達成することが可能になる。
【００３５】
パター・ヘッドの残りの部品は、金属で作成することが好ましい。すなわち、パター・ヘッド１１、底部板３７、および端部片３４は、スチールまたはチタンで作られ、止め板３５はチタンまたはその他の金属あるいは材料で作られる。
【００３６】
図４Ａ〜４Ｇは、本発明による交換可能なカセット部の異なる実施例を示す。
【００３７】
図４Ａでは、端部片３４の外側端部４０は垂直方向に楔形をしており、したがって打撃表面１９の下側端部に、上側端部よりも大きな張力をかける、すなわちバンドの断面上の不均一な引張り張力により、ボールを基準にしてゴルフ・パターの高さを調節することによって、ボールを打つ打撃表面の張力を調節することが可能になる。
【００３８】
図４Ｂでは、引張り張力の分配が均一である、単純な長方形の打撃表面１９が設けられている。
【００３９】
図４Ｃでは、ゴルフ・ボールがバンド３２を介して端部片３４により直接当たる、小さな可撓性のある打撃領域１９とより大きな固体領域が設けられている。
【００４０】
図４Ｄは、止め板３５の真中に向かって延びる端部片３４の部品の形を変更することにより、別の形の打撃領域が提供される実施例を示す。バンド３２の張力は均一に分配されているが、撓み領域の長さが変わるので、バンドの可撓性は打撃領域１９の真中が最も大きい。
【００４１】
図４Ｅは、打撃領域１９の後ろに楕円のリセス３０を設けた、図４Ｄと同様の状況を示す。
【００４２】
図４Ｆにおいて、テンション・バーは、打撃領域内にバンド３２に向かって延びる、ピンの形をした別の突起３９を含む。この解決法により、打撃領域の可撓性を局所的に変更することが可能になり、ゴルフ・ボールを打った時の特別な特徴が示される。ピン３９は、ユーザの希望により、金属または別の適切な材料で作ることができる。これは、これらの別の突起３９の位置および形状と、さらにバンドに向かって延びる長さにも関連する。
【００４３】
好ましい一実施例では、ピン３９はテンション・バーまたは止め板３５を通って、後部のバンドに向かって延びており、したがって選択した力を超えた時に、後部のバンドの可撓性を反力として使用して移動を制御することも可能になる。交換可能なカセットの両側部でのピンとバンドの間の間隙を、ピンおよびバンドの後部が作動する前に、バンドに加えるべき力により選択することができる。普通は、間隙のサイズは１ｍｍより小さく、好ましくは１／５００ｍｍから７／１０ｍｍの範囲内にある。
【００４４】
図面では１個のピン３９が示されているが、表面上に分布したいくつかのピンを設けることができる場合もある。
【００４５】
図４Ｆではまた、端部片３４の外側端部４０は垂直方向に丸みがつけられており、したがってバンド３２の真中の張力が増加する。ピン３９には、前側（打撃）領域から後部のバンドに向かって力を次第に伝達する機能がある。ピンとバンドの間の間隙は変化し、前側バンドから後側バンドへの力の移動は、ピンとバンドの間隙により異なる力レベルで機能するようになる。
【００４６】
図４Ｇは、ピン３９が円形の断面をしており、バンド３２の上の張力分配が均一である、図４Ｆの代替形態を示す。
【００４７】
示した実施例のどんな組合せも、添付の特許請求の範囲によって規定される本発明の範囲内にある。図５Ａおよび５Ｂは、交換可能なカセット部を挿入することができる、本発明によるクラブ・ヘッドの２つの代替実施例を示す。例えば、互いに係止された場合、カセットを定位置に締付けることにより、寸法が異なるカセットを受け入れるように、寸法を選択することが好ましい。
【００４８】
図６は、カセット３３がパター・ヘッド１１の前部を通して取り付けられ、パターの後部からねじ４１によりパター・ヘッドに固定されたクランプ４４を使用して、空洞４６内の定位置に保持された、別の代替実施例を示す。
【００４９】
前に示したように、端部片３４および止め板３５は、本発明の一実施例により、緊張装置またはバーを構成する一体型に作ることもできる。しかし、加えられた張力および空洞またはリセス３０の形は両方とも、好ましい解決法を使って、多種多様の方法で選択することができるので、これは本発明の可撓性を制限することになる。
【００５０】
カセット・ユニットの物理的サイズは、パター・ヘッドおよびバンド長さの実際の限度内で変更することができる。バンド・ループ３２の普通の円周は、１５０〜１６０ｍｍの範囲であり、したがってカセットの厚さおよび長さはそれぞれ、例えば１２〜１６ｍｍおよび６５〜１１０ｍｍの範囲である。
【図面の簡単な説明】
【００５１】
【図１】クラブ・ヘッドの打撃領域に向かって見た時の、パター型のゴルフ・クラブを示す図である。
【図２Ａ】本発明によるパター・ヘッドの異なる部品を示す一部展開図である。
【図２Ｂ】本発明によるパター・ヘッドの異なる部品を示す展開図である。
【図３】図２Ａおよび２Ｂに示す実施例の組立図である。
【図４Ａ−Ｇ】本発明の交換可能なカセット部の異なる実施例を示す図である。
【図５Ａ−Ｂ】本発明によるゴルフ・パター・ヘッドの２つの代替実施例を示す図である。
【図６】本発明によるゴルフ・パター・ヘッドの別の実施例を示す図である。
【国際公開パンフレット】
2004525706.tif 000003
2004525706.tif 000004
2004525706.tif 000005
2004525706.tif 000006
2004525706.tif 000007
2004525706.tif 000008
2004525706.tif 000009
2004525706.tif 000010
2004525706.tif 000011
2004525706.tif 000012
2004525706.tif 000013
2004525706.tif 000014
2004525706.tif 000015
2004525706.tif 000016
2004525706.tif 000017
2004525706.tif 000018
2004525706.tif 000019
2004525706.tif 000020
2004525706.tif 000021
2004525706.tif 000022
2004525706.tif 000023
2004525706.tif 000024
2004525706.tif 000025
2004525706.tif 000026
2004525706.tif 000027
【手続補正書】
【提出日】平成14年7月22日(2002.7.22)
【手続補正１】
【補正対象書類名】特許請求の範囲
【補正対象項目名】全文
【補正方法】変更
【補正の内容】
【特許請求の範囲】
【請求項１】
打撃表面にバンド材料の張力で取り付けられた可撓性のバンド形材料（３２）によって構成される、パター打撃表面（１９）を備えるゴルフ・パター・ヘッドにおいて、バンド形材料は無限ループ（３２）の形をしており、緊張装置（３４、３５）がバンド・ループ内側の少なくとも一部に設けられ、バンドに前記張力を加えるようになっており、緊張装置はまた、打撃表面の各側部に突起（３４）を含み、それによって打撃表面（１９）でバンド（３２）の後ろにリセス（３０）を画定するゴルフ・パター・ヘッドであって、緊張装置（３４、３５）および金属バンド・ループ（３２）が、パター・ヘッド（１１）用の交換可能なカセット・ユニット（３３）の重要な部品を構成し、カセット内には、硬く剛性のある打撃表面（１９）を提供するように、一定の張力で金属バンド・ループ（３２）が取り付けられ、パター・ヘッド（１１）が、交換可能なカセット・ユニットを受け、これをパター・ヘッド内の定位置に係止する保持手段（３６、３７、３８）を備えることを特徴とする、ゴルフ・パター・ヘッド。
【請求項２】
金属バンド・ループ（３２）が、カセット（３３）の両側部にほぼ平行な主ループ部を有することを特徴とする、請求項１に記載のゴルフ・パター。
【請求項３】
緊張装置が基本的に、板の対向する側部に前記突起（３４）を有する平坦な板（３５）によって形成され、前記突起は板（３５）の長手方向に垂直により大きな側部まで延び、それによって突起と板の間に前記リセス（３０）が設けられる、請求項１または請求項２に記載のゴルフ・パター。
【請求項４】
前記突起が、板（３５）に交換可能に連結された端部片（３４）によって設けられ、それによって端部片または平坦な板（３５）を変更することにより、バンドに加えられる張力およびリセス（３０）のサイズを選択することが可能になる、請求項３に記載のゴルフ・パター。
【請求項５】
平坦な板（３５）の長さが調節可能となっており、それによってバンド上に加えられる張力およびリセス（３０）のサイズを選択することが可能になる、請求項３または請求項４に記載のゴルフ・パター。
【請求項６】
パター・ヘッド（１１）が、交換可能なカセット・ユニット（３３）を受ける空洞（３６）を画定し、前記空洞の一方の側部は、固定手段（３８）を備える取り外し可能な端部板（３７）によって画定されて、パター・ヘッドに固定され、それによって交換可能なカセット・ユニット（３３）を前記空洞（３６）内に係止する、請求項１から請求項５までのいずれか一項に記載のゴルフ・パター。
【請求項７】
バンド（３２）の幅にわたって変化する張力を確立する手段（３４、３５）が設けられた、請求項１から請求項６までのいずれか一項に記載のゴルフ・パター。
【請求項８】
前記手段が基本的には、バンド（３２）に係合する適切な形状の表面（４０）をもつ端部片（３４）を備える、請求項４および請求項７に記載のゴルフ・パター。
【請求項９】
金属バンド・ループ（３２）が、低摩擦材料で被覆される、請求項１から請求項８までのいずれか一項に記載のゴルフ・パター。
【請求項１０】
前記保持手段に対するカセットの設計が、ほぼ対称であり、したがって少なくとも２つの異なる方向にカセットを取り付けることが可能になっている、請求項２から請求項９までのいずれか一項に記載のゴルフ・パター。
【請求項１１】
パター・ヘッド（１１）が、前側開口を通して交換可能なカセット・ユニット（３３）を受ける空洞（４６）を画定し、クランプ（４４）が前記前側開口と結合して、パター・ヘッドの後部側から好ましくはねじ（４１）で、パター・ヘッド（１１）内にカセット・ユニットを固定する、請求項１から請求項５まで、または請求項７から請求項９までのいずれか一項に記載のゴルフ・パター。（図６）
【請求項１２】
打撃表面にバンド材料の張力で取り付けられた可撓性のバンド形材料（３２）によって構成される、ゴルフ・パター打撃表面（１９）を備えるゴルフ・パター・ヘッド（１１）用の交換可能なカセット・ユニットにおいて、バンド形材料は無限ループ（３２）の形をしており、緊張装置（３４、３５）がバンド・ループ内側の少なくとも一部に設けられ、バンドに前記張力を加えるようになっており、緊張装置はまた、打撃表面の各側部に突起（３４）を含み、それによって打撃表面（１９）でバンド（３２）の後ろにリセス（３０）を画定するカセット・ユニットであって、緊張装置（３４、３５）および金属バンド・ループ（３２）が、交換可能なカセット・ユニット（３３）の重要な部品を構成し、カセット内には、硬く剛性のある打撃表面（１９）を提供するように、一定の張力で金属バンド・ループ（３２）が取り付けられることを特徴とする、交換可能なカセット・ユニット。
【請求項１３】
緊張装置が基本的に、板の対向する側部に前記突起（３４）を有する平坦な板（３５）によって形成され、前記突起は板（３５）の長手方向に垂直により大きな側部まで延び、それによって突起と板の間に前記リセス（３０）が設けられる、請求項１２に記載のカセット・ユニット。
【請求項１４】
前記突起が、板（３５）に交換可能に連結された端部片（３４）によって構成され、それによって端部片または平坦な板を変更することにより、バンドに加えられる張力およびリセス（３０）のサイズを選択することが可能になる、請求項１２または請求項１３に記載のカセット・ユニット。
【請求項１５】
緊張装置（３４、３５）の長さが調節可能となっており、それによってバンドに加えられる張力およびリセス（３０）のサイズを選択することが可能になる、請求項１２、請求項１３、または請求項１４に記載のカセット・ユニット。
【請求項１６】
端部片（３４）が、互いに向かって延びて、バンドに接触し、端部片の縁部は、バンドと平坦な板（３５）の間のリセス（３０）の形を画定する、請求項１４または請求項１５に記載のカセット・ユニット。
【請求項１７】
前記リセス（３０）の領域にある緊張装置（３４、３５）が、バンドに向かって延びる突出要素（３９）を備える、請求項１２から請求項１６までのいずれか一項に記載のカセット・ユニット。
【請求項１８】
金属バンド・ループ（３２）が、カセットの両側部にほぼ平行な主ループ部分を有する、請求項１２から請求項１７までのいずれか一項に記載のカセット・ユニット。
【請求項１９】
緊張装置（３４、３５）が、１つの主ループ部分の打撃バンド面から反対側のバンド・ループ部分まで、両側にピン要素とバンドの間に間隙を有して延びる、少なくとも１個のピン状要素（３９）を備えており、ピン要素（３９）は長手方向に自由に移動する、請求項１７および請求項１８に記載のカセット・ユニット。
【請求項２０】
バンドの厚さが、打撃表面上の所定の限度内で変わる、請求項１２から請求項１９までのいずれか一項に記載のカセット・ユニット。
【請求項２１】
少なくとも２つの異なる方向にゴルフ・パター・ヘッド内にカセットを取り付けることが可能になるように、カセットの設計がほぼ対称である、請求項１８、請求項１９、または請求項２０に記載のカセット・ユニット。
【請求項２２】
前記平行な主ロープ部分および／または関連するリセスが、異なる性質または構造をしている、請求項２１に記載のカセット・ユニット。
【手続補正書】
【提出日】平成15年5月27日(2003.5.27)
【手続補正１】
【補正対象書類名】特許請求の範囲
【補正対象項目名】全文
【補正方法】変更
【補正の内容】
【特許請求の範囲】
【請求項１】
打撃表面にバンド材料の張力で取り付けられた可撓性のバンド形材料（３２）によって構成される、パター打撃表面（１９）を備えるゴルフ・パター・ヘッドにおいて、バンド形材料は無限ループ（３２）の形をしており、緊張装置（３４、３５）がバンド・ループ内側の少なくとも一部に設けられ、バンドに前記張力を加えるようになっており、緊張装置はまた、打撃表面の各側部に突起（３４）を含み、それによって打撃表面（１９）でバンド（３２）の後ろにリセス（３０）を画定するゴルフ・パター・ヘッドであって、緊張装置（３４、３５）および金属バンド・ループ（３２）が、パター・ヘッド（１１）用の交換可能なカセット・ユニット（３３）の重要な部品を構成し、カセット内には、硬く剛性のある打撃表面（１９）を提供するように、一定の張力で金属バンド・ループ（３２）が取り付けられ、パター・ヘッド（１１）が、交換可能なカセット・ユニットを受け、これをパター・ヘッド内の定位置に係止する保持手段（３６、３７、３８）を備えることを特徴とする、ゴルフ・パター・ヘッド。
【請求項２】
金属バンド・ループ（３２）が、カセット（３３）の両側部にほぼ平行な主ループ部を有することを特徴とする、請求項１に記載のゴルフ・パター。
【請求項３】
緊張装置が基本的に、板の対向する側部に前記突起（３４）を有する平坦な板（３５）によって形成され、前記突起は板（３５）の長手方向に垂直により大きな側部まで延び、それによって突起と板の間に前記リセス（３０）が設けられる、請求項１または請求項２に記載のゴルフ・パター。
【請求項４】
前記突起が、板（３５）に交換可能に連結された端部片（３４）によって設けられ、それによって端部片または平坦な板（３５）を変更することにより、バンドに加えられる張力およびリセス（３０）のサイズを選択することが可能になる、請求項３に記載のゴルフ・パター。
【請求項５】
平坦な板（３５）の長さが調節可能となっており、それによってバンド上に加えられる張力およびリセス（３０）のサイズを選択することが可能になる、請求項３または請求項４に記載のゴルフ・パター。
【請求項６】
パター・ヘッド（１１）が、交換可能なカセット・ユニット（３３）を受ける空洞（３６）を画定し、前記空洞の一方の側部は、固定手段（３８）を備える取り外し可能な端部板（３７）によって画定されて、パター・ヘッドに固定され、それによって交換可能なカセット・ユニット（３３）を前記空洞（３６）内に係止する、請求項１から請求項５までのいずれか一項に記載のゴルフ・パター。
【請求項７】
バンド（３２）の幅にわたって変化する張力を確立する手段（３４、３５）が設けられた、請求項１から請求項６までのいずれか一項に記載のゴルフ・パター。
【請求項８】
前記手段が基本的には、バンド（３２）に係合する適切な形状の表面（４０）をもつ端部片（３４）を備える、請求項４および請求項７に記載のゴルフ・パター。
【請求項９】
金属バンド・ループ（３２）が、低摩擦材料で被覆される、請求項１から請求項８までのいずれか一項に記載のゴルフ・パター。
【請求項１０】
前記保持手段に対するカセットの設計が、ほぼ対称であり、したがって少なくとも２つの異なる方向にカセットを取り付けることが可能になっている、請求項２から請求項９までのいずれか一項に記載のゴルフ・パター。
【請求項１１】
パター・ヘッド（１１）が、前側開口を通して交換可能なカセット・ユニット（３３）を受ける空洞（４６）を画定し、クランプ（４４）が前記前側開口と結合して、パター・ヘッドの後部側から好ましくはねじ（４１）で、パター・ヘッド（１１）内にカセット・ユニットを固定する、請求項１から請求項５まで、または請求項７から請求項９までのいずれか一項に記載のゴルフ・パター。（図６）
【請求項１２】
打撃表面にバンド材料の張力で取り付けられた可撓性のバンド形材料（３２）によって構成される、ゴルフ・パター打撃表面（１９）を備えるゴルフ・パター・ヘッド（１１）用の交換可能なカセット・ユニットにおいて、バンド形材料は無限ループ（３２）の形をしており、緊張装置（３４、３５）がバンド・ループ内側の少なくとも一部に設けられ、バンドに前記張力を加えるようになっており、緊張装置はまた、打撃表面の各側部に突起（３４）を含み、それによって打撃表面（１９）でバンド（３２）の後ろにリセス（３０）を画定するカセット・ユニットであって、緊張装置（３４、３５）および金属バンド・ループ（３２）が、交換可能なカセット・ユニット（３３）の重要な部品を構成し、カセット内には、硬く剛性のある打撃表面（１９）を提供するように、一定の張力で金属バンド・ループ（３２）が取り付けられることを特徴とする、交換可能なカセット・ユニット。
【請求項１３】
緊張装置が基本的に、板の対向する側部に前記突起（３４）を有する平坦な板（３５）によって形成され、前記突起は板（３５）の長手方向に垂直により大きな側部まで延び、それによって突起と板の間に前記リセス（３０）が設けられる、請求項１２に記載のカセット・ユニット。
【請求項１４】
前記突起が、板（３５）に交換可能に連結された端部片（３４）によって構成され、それによって端部片または平坦な板を変更することにより、バンドに加えられる張力およびリセス（３０）のサイズを選択することが可能になる、請求項１２または請求項１３に記載のカセット・ユニット。
【請求項１５】
緊張装置（３４、３５）の長さが調節可能となっており、それによってバンドに加えられる張力およびリセス（３０）のサイズを選択することが可能になる、請求項１２、請求項１３、または請求項１４に記載のカセット・ユニット。
【請求項１６】
端部片（３４）が、互いに向かって延びて、バンドに接触し、端部片の縁部は、バンドと平坦な板（３５）の間のリセス（３０）の形を画定する、請求項１４または請求項１５に記載のカセット・ユニット。
【請求項１７】
前記リセス（３０）の領域にある緊張装置（３４、３５）が、バンドに向かって延びる突出要素（３９）を備える、請求項１２から請求項１６までのいずれか一項に記載のカセット・ユニット。
【請求項１８】
金属バンド・ループ（３２）が、カセットの両側部にほぼ平行な主ループ部分を有する、請求項１２から請求項１７までのいずれか一項に記載のカセット・ユニット。
【請求項１９】
緊張装置（３４、３５）が、１つの主ループ部分の打撃バンド面から反対側のバンド・ループ部分まで、両側にピン要素とバンドの間に間隙を有して延びる、少なくとも１個のピン状要素（３９）を備えており、ピン要素（３９）は長手方向に自由に移動する、請求項１７および請求項１８に記載のカセット・ユニット。
【請求項２０】
バンドの厚さが、打撃表面上の所定の限度内で変わる、請求項１２から請求項１９までのいずれか一項に記載のカセット・ユニット。
【請求項２１】
少なくとも２つの異なる方向にゴルフ・パター・ヘッド内にカセットを取り付けることが可能になるように、カセットの設計がほぼ対称である、請求項１８、請求項１９、または請求項２０に記載のカセット・ユニット。
【請求項２２】
前記平行な主ロープ部分および／または関連するリセスが、異なる性質または構造をしている、請求項２１に記載のカセット・ユニット。
【国際調査報告】
2004525706.tif 000028
2004525706.tif 000029